(57)【要約】      （修正有）【課題】情報表示装置ユーザーで共有し、同時に視聴可能な画像情報の視聴履歴が直感的に一目で分かるようにする。【解決手段】ネットワーク接続され、接続先の複数の情報表示装置と同一の画像情報を受信して画像を表示可能な情報表示装置において、画像情報が視聴されたかを示す視聴履歴情報取得手段を有し、視聴履歴情報に基づいて、接続先の複数の情報表示装置によって、同時に視聴された画像情報の視聴履歴情報を画像情報に付随して表示する。【選択図】  図１
2005203917.tif 000002
【特許請求の範囲】
【請求項１】
ネットワーク接続され、接続先の複数の情報表示装置と同一の画像情報を受信して画像を表示可能な情報表示装置において、該情報表示装置は、前記接続先の複数の情報表示装置において、
前記画像情報が視聴されたかを示す視聴履歴情報取得手段を有し、該視聴履歴情報に基づいて、前記接続先の複数の情報表示装置によって、同時に視聴された画像情報の視聴履歴情報を前記画像情報に付随して表示する事を特徴とする情報表示装置。
【請求項２】
前記視聴履歴情報は、前記同時に視聴された画像情報の部分拡大操作において拡大された部分と、同時に視聴した情報表示装置とを特定できる情報を含む事を特徴とする請求項１記載の情報表示装置。
【発明の詳細な説明】
【技術分野】
【０００１】
本発明は、ネットワーク接続された複数の情報表示装置間で静止画像、動画像等の情報を送受信し、情報表示装置ユーザーによってコミュニケーションを行なう為の情報表示装置に関する。
【背景技術】
【０００２】
デジタルカメラの爆発的な普及を背景に、誰でも簡単にオリジナルの画像情報を作成する事が可能な状況になっている。またＡＤＳＬや光ファイバーによるインターネット接続環境の整備を背景に、離れた場所に住んでいる情報表示装置ユーザー間で、画像情報を共有し、視聴するコミュニケーション形態も普及し始めている。ユーザーはそれら画像情報をインターネット上のサーバーに存在する自分のホームページやＣＧＩ（Ｃｏｍｍｏｎ  Ｇａｔｅｗａｙ  Ｉｎｔｅｒｆａｃｅ）を利用した電子掲示板等に公開して、離れた場所に住んでいる友人や家族等と共有し、同時に視聴する事が可能である。ホームページや電子掲示板を利用し共有している画像情報を視聴した友人や家族は、電子メールを利用したり、下記特許文献に開示されているように掲示板上に設けられた専用領域に文字データを入力する事により、画像を見た感想やその画像を視聴したという視聴履歴情報を残す事も可能である。
【特許文献１】特開平１０−２７５１０２号公報
【発明の開示】
【発明が解決しようとする課題】
【０００３】
しかしながら、上述した画像情報の同時視聴において、文字データによって視聴履歴情報を残す場合には、
・どのユーザーと同時に視聴したかの履歴情報を文字データとして入力するのが面倒である、
という課題があった。
【０００４】
また、上述した画像情報の同時視聴において、文字データによって視聴履歴情報を残した場合には、
・共有する複数の画像のうち、どの画像がどのユーザーと同時に視聴されたか、の視聴履歴が直感的に一目で分かりにくいという課題があった。よって本発明の目的は、上記課題を解決し、情報表示装置ユーザーで共有し、同時に視聴可能な画像情報の視聴履歴が直感的に一目で分かるようにする情報表示装置を提供する事である。
【課題を解決するための手段】
【０００５】
本発明による情報表示装置は、
ネットワーク接続され、接続先の複数の情報表示装置と同一の画像情報を受信して画像を、表示可能な情報表示装置において、該情報表示装置は、前記接続先の複数の情報表示装置において、
前記画像情報が視聴されたかを示す視聴履歴情報取得手段を有し、該視聴履歴情報に基づいて、前記接続先の複数の情報表示装置によって、同時に視聴された画像情報の視聴履歴情報を前記画像情報に付随して表示する事を特徴とする。
【０００６】
また、前記視聴履歴情報は、前記同時に視聴された画像情報の部分拡大操作において拡大された部分と、同時に視聴した情報表示装置とを特定できる情報を含む事を特徴とする。
【発明の効果】
【０００７】
本発明によれば、画像情報の同時視聴において、
・視聴履歴情報を残す手間が軽減され、
・共有する複数の画像情報のうち、どの画像情報がどのユーザーと同時に視聴されたか、の視聴履歴が直感的に一目で分かるようになる。
【０００８】
これにより、複数のユーザーに同時に視聴されたような注目度の高い画像情報を容易に判別する事ができる為、複数の情報表示装置ユーザーによる円滑なコミュニケーションを実現する事が可能となる。
【発明を実施するための最良の形態】
【０００９】
（実施例１）
以下、図面を用いて本発明を実施する為の第１形態について、説明を行なう。
【００１０】
図１は、本発明の実施例１による情報表示装置の接続形態を表わす概念図である。同図中、１０１は情報表示装置（１）、１０２は情報表示装置（２）、１０３は情報表示装置（３）、１０４はコンテンツサーバー、１０５はインターネット、１０６はデジタルビデオカムコーダ１（以下、ＤＶＣ（１））、１０７はデジタルビデオカムコーダ２（以下、ＤＶＣ（２））、１０８はデジタルビデオカムコーダ３（以下、ＤＶＣ（３））を示し、情報表示装置（１）１０１、情報表示装置（２）１０２、情報表示装置（３）１０３を利用するユーザー間で、コンテンツサーバー１０４に存在するデジタルカメラ等で撮影された複数の画像を視聴しながらコミュニケーションを行なうシステムの接続形態を示している。
【００１１】
図２は、本発明の実施例１による情報表示装置（１）１０１、情報表示装置（２）１０２、情報表示装置（３）１０３の構成を表わすブロック図である。同図中、２０１は操作部、２０２はネットワーク制御部、２０３はＣＰＵ、２０４は画像情報デコード部、２０５はメモリ、２０６は表示制御部、２０７は画像表示部、２０８はシステムバス、２０９は画像フォーマット変換部、２１０は接続機器制御部を示す。
【００１２】
図３は、図１における操作部２０１に配置される操作ボタン群である。同図中、３０１は移動ボタン、３０２は決定ボタン、３０３は戻るボタン、３０４はチャットボタン、３０５は同期制御ボタン、３０６は一覧表示ボタン、３０７は情報表示ボタン、３０８は枠表示ボタンを示す。
【００１３】
以下、情報表示装置（１）１０１と情報表示装置（２）１０２のユーザーが、コミュニケーションを行なう場合の情報表示装置（１）１０１の動作を主に説明する。
【００１４】
図４は、ユーザーによるコミュニケーション開始操作が実行された場合に、画像表示部２０７に表示画面の一形態を表示するまでの動作フローを示している。
【００１５】
図５は、コミュニケーション開始が実行された場合に、画像表示部２０７に表示する画面の一形態であるインデックス表示を示す。５０１（ａ）〜（ｌ）によって、コミュニケーションの際に使用する複数の画像情報を示している。５０２で示すものは、図３の移動ボタン３０１の操作によって移動し、画像表示部２０７の画面全体に表示する画像の候補を示す動画アイコンであり、情報表示装置（１）１０１に接続されたＤＶＣ（１）１０６によって映し出されたユーザーの画像情報をアイコンとして表示したものである。５０３で示すものは、コミュニケーション相手である情報表示装置（２）１０２から受信する動画像情報をアイコンとして表示した動画アイコンである。本情報表示装置は、コミュニケーション相手が選択中の画像上に、この動画アイコンを多重して表示する構成になっている。動画アイコン５０３は情報表示装置（２）１０２のユーザーが選択中の画像上に多重して表示する。現在、情報表示装置（３）１０３のユーザーはコミュニケーションに参加していない為、情報表示装置（３）１０３のユーザーの動画アイコンは表示されていない。
【００１６】
図４のＳ４０１において、ユーザーにより、図３のチャットボタン３０４を用いたコミュニケーション開始操作が行なわれると、Ｓ４０２において、ＣＰＵ２０３は、ネットワーク制御部２０２を介して、図１のコンテンツサーバー１０４からコミュニケーションの際に使用する複数の画像データを取得する。ここで取得したデータは一時的にメモリ２０５に格納される。メモリ２０５に蓄積された画像データは、画像情報デコード部２０４によって復号後、表示制御部２０６に送り、画像表示部２０７において表示する。
【００１７】
Ｓ４０３において、ＣＰＵ２０３は、ネットワーク制御部２０２を介し、他の情報表示装置、つまり図２における情報表示装置（２）１０２、情報表示装置（３）１０３の表示形態情報を取得する。表示形態情報とは、
・コミュニケーション動作を開始しているか否か、
・コンテンツサーバー１０４から取得した画像をどのような形態（インデックス表示、シングル表示、拡大表示、スライドショー表示）で表示しているか、
・同期視聴モードで視聴しているか否か、
・インデックス表示の場合は、動画アイコンが配置されている画像の識別情報（ファイル名やインターネット上に存在する画像の場所を指し示すＵＲＬ（Ｕｎｉｆｏｒｍ  Ｒｅｓｏｕｒｃｅ  Ｌｏｃａｔｏｒ））
・シングル表示、拡大表示、スライドショー表示の場合は、画像表示部２０７に表示中の画像の識別情報
・拡大表示の場合は、拡大率や拡大部分の位置情報
・スライドショー表示の場合は、画像の切替間隔情報
等の情報を含む。ここで同期視聴モードとは、１つの情報表示装置の表示に同期して複数の情報表示装置の画像表示形態が切り替わる動作モードである。例えば、図６の（６−ａ）のように情報表示装置（１）１０１、情報表示装置（２）１０２、情報表示装置（３）１０３が全てインデックス表示である状態において、情報表示装置（１）１０１と情報表示装置（２）１０２が同期視聴モードであった場合に、（６−ｂ）のように情報表示装置（１）１０１がシングル表示になると、それに同期して情報表示装置（２）１０２の表示が同一画像のシングル表示に切り替わる。
【００１８】
Ｓ４０４において、ＣＰＵ２０３は、自情報表示装置の表示形態情報を取得する。コミュニケーション開始動作直後の場合、図５に示したような複数の画像を一覧して表示する形態であるインデックス表示状態であるという情報を取得する。
【００１９】
Ｓ４０５において、ＣＰＵ２０３は、Ｓ４０３とＳ４０４において取得した他情報表示装置と自情報表示装置の表示形態情報に従って、画像表示部２０７に表示する画面の表示方法を決定する。ここでは図５に示したように、インデックス表示を行ない、情報表示装置（２）１０２が選択している画像の右下の位置に動画アイコン５０３を多重して表示する事を決定し、配置位置情報を表示制御部２０６に送る。
【００２０】
Ｓ４０６において、ＣＰＵ２０３は、自情報表示装置の表示形態情報を他情報表示装置に対し、送信を行なう。
【００２１】
Ｓ４０７において、ＣＰＵ２０３は、接続機器制御部２１０を介して、情報表示装置（１）１０１に接続されるＤＶＣ（１）１０６を制御し、情報表示装置（１）１０１のユーザーの動画像情報を取得、画像フォーマット変換部２０９において、インターネット１０５を介して情報表示装置（２）１０２に送信するストリーミングデータ形式への変換を行ない、ネットワーク制御部２０２を介し、情報表示装置（２）１０２に対し、送信を開始する。
【００２２】
Ｓ４０８において、ＣＰＵ２０３は、ネットワーク制御部２０２を介して、情報表示装置（２）１０２から送信される動画像情報を受信開始し、画像情報デコード部２０４によって復号後、表示制御部２０６に送る。
【００２３】
Ｓ４０９において、表示制御部２０６は、複数画像のインデックス表示と共に、Ｓ４０８において復号された動画像情報をＳ４０５において決定された配置位置情報に基づき、図５に示したような動画アイコン５０２、５０３として、画像表示部２０７に表示する。これにより、情報表示装置（１）１０１のユーザーは、ＤＶＣ（２）１０７によって映し出された情報表示装置（２）１０２のユーザーの姿を見ながらコミュニケーションできる。
【００２４】
Ｓ４１０において、コミュニケーション開始操作があった場合の動作を完了する。本動作完了後、ＣＰＵ２０３は、ユーザーによるコミュニケーション終了操作が実行されるまで、図７に示す動作フローにおけるＳ７０１、Ｓ７０２において、図４のＳ４０３、Ｓ４０４における動作同様の他情報表示装置と自情報表示装置の表示形態情報の取得動作を繰り返すことになる。
【００２５】
Ｓ７０３において、ＣＰＵ２０３が、いずれかの表示形態情報に変化があった事を検出した場合、Ｓ７０４において、図４のＳ４０３、Ｓ４０４における動作同様、表示形態情報に従って表示方法を決定し、Ｓ７０５において、表示制御部２０６は画像表示部２０７に表示する画面の表示を更新する。
【００２６】
図８は、図３に示した操作部２０１に備わるボタンを用いて、コンテンツサーバー１０４に存在する画像を視聴する場合の操作と画面表示状態遷移の関係を示す図である。
【００２７】
（８−１）８０１で示すインデックス表示状態において、ユーザーの移動ボタン３０１押下により、５０２で示す動画カーソルが移動し、視聴する画像が選択される。
【００２８】
（８−２）ユーザーの決定ボタン３０２押下により、動画カーソル５０２のある画像が選択され、図２のＣＰＵ２０３は、表示制御部２０６を介して、画像表示部２０７に選択された画像を画面に一枚表示し、図８の８０２で示したシングル表示状態に遷移する。本操作が実行されると、図２のＣＰＵ２０３は、シングル表示が行なわれた事を示す視聴履歴データを、一時的にメモリ２０５に記録し、ネットワーク制御部２０２を介して図１のコンテンツサーバー１０４に送信する。ここで送信するデータは、シングル表示を行なっている画像の識別情報（ファイル名やインターネット上に存在する画像の場所を指し示すＵＲＬ（Ｕｎｉｆｏｒｍ  Ｒｅｓｏｕｒｃｅ  Ｌｏｃａｔｏｒ））である。図１のコンテンツサーバー１０４は、情報表示装置（１）から受信した視聴履歴データを画像情報と関連つけて蓄積する。
【００２９】
（８−３）ユーザーの戻るボタン３０３押下により、インデックス表示状態８０１に遷移する。
【００３０】
（８−４）ユーザーの枠表示ボタン３０８押下により、図８の８０４で示すズーム領域選択状態に遷移し、ユーザーが画像を拡大して表示可能な領域を示す拡大領域枠表示８０６を表示する。
【００３１】
（８−５）ユーザーの戻るボタン３０３押下により、シングル表示状態８０２に遷移する。
【００３２】
（８−６）ユーザーの移動ボタン３０１押下により、拡大領域枠表示８０６が移動し、ユーザーが拡大して視聴したい画像領域が選択される。
【００３３】
（８−７）ユーザーの決定ボタン３０２押下により、拡大領域枠表示８０６のある画像領域を拡大して表示する８０４で示したズーム表示状態に遷移する。本操作が実行されると、図２のＣＰＵ２０３は、拡大表示が行なわれた領域の情報を視聴履歴データとして、一時的にメモリ２０５に記録し、ネットワーク制御部２０２を介して図１のコンテンツサーバー１０４に送信する。ここで送信するデータは、
・拡大表示を行なっている画像の識別情報（ファイル名やインターネット上に存在する画像の場所を指し示すＵＲＬ（Ｕｎｉｆｏｒｍ  Ｒｅｓｏｕｒｃｅ  Ｌｏｃａｔｏｒ））
・図９の一例に示す通り、９０１で示す画像データの左上の座標を（０，０）とした９０２、９０３、９０４、９０５で示す拡大領域の４点の座標位置（ｘ０、ｙ０）、（ｘ１、ｙ０）、（ｘ１、ｙ１）、（ｘ０、ｙ１）である。図１のコンテンツサーバー１０４は、情報表示装置（１）から受信した視聴履歴データを画像情報と関連つけて蓄積する。
【００３４】
（８−８）ユーザーの戻るボタン３０３押下により、ズーム領域選択状態８０３に遷移する。
【００３５】
以下、情報表示装置（１）１０１と情報表示装置（２）１０２が、同期視聴を行なう場合の動作について説明を行なう。
【００３６】
情報表示装置（１）１０１のユーザーにより、図３の同期ボタン３０５が押された場合、図１０−ａに示す同期視聴ユーザーを選択する為の画面が表示される。現在、情報表示装置（１）１０１と情報表示装置（２）１０２とでコミュニケーションを行なっている為、図１０−ａで示した同期視聴ユーザー選択画面では、情報表示装置（２）１０２ユーザーを示すアイコン１００１のみが表示されるが、情報表示装置（１）１０１、情報表示装置（２）１０２、情報表示装置（３）１０３とでコミュニケーションを行なっている場合には、図１０−ｂで示すように、情報表示装置（２）１０２のユーザーを示すアイコン１００１、情報表示装置（３）１０３のユーザーを示すアイコン１００２を示すアイコンが表示される事になる。情報表示装置（１）１０１のユーザーは、図１０−ａの画面において同期視聴を行ないたい情報表示装置（２）１０２ユーザーを示すアイコン１００１にフォーカス枠１００３をあわせ、決定ボタン３０２押下によって、選択した情報表示装置（２）１０２ユーザーとの同期視聴モードに移行する。上述の情報表示装置（１）１０１のユーザー操作により、同期視聴モードに移行した後は、情報表示装置（１）１０１における画面表示は、情報表示装置（２）１０２のユーザー操作に同期して切り替わる事になる。
【００３７】
図１１は、同期視聴モード時に情報表示装置（２）１０２ユーザーが、図３に示した操作部２０１に備わるボタンを用いて、コンテンツサーバー１０４に存在する画像を視聴する場合の操作と画面表示状態遷移の関係を示す図である。
【００３８】
（１１−１）１１０１は、同期視聴モード時のインデックス表示状態を示している。同期視聴モード時には、同期視聴を行なっているユーザーを示す動画アイコン５０３、５０２が隣接するように配置され、表示される。インデックス表示状態１１０１において、ユーザーの移動ボタン３０１押下により、動画カーソル５０３、５０２が同時に移動し、視聴する画像が選択される。
【００３９】
（１１−２）ユーザーの決定ボタン３０２押下により、動画カーソル５０３、５０２のある画像が選択され、図２のＣＰＵ２０３は、表示制御部２０６を介して、画像表示部２０７に選択された画像を画面に一枚表示し、図１１の１１０２で示したシングル表示状態に遷移する。本操作が実行されると、図２のＣＰＵ２０３は、シングル表示が行なわれた事を示す視聴履歴データを、一時的にメモリ２０５に記録し、ネットワーク制御部２０２を介して図１のコンテンツサーバー１０４に送信する。ここで送信するデータは、
・シングル表示を行なっている画像の識別情報（ファイル名やインターネット上に存在する画像の場所を指し示すＵＲＬ（Ｕｎｉｆｏｒｍ  Ｒｅｓｏｕｒｃｅ  Ｌｏｃａｔｏｒ））
・同期視聴モードである事を示す情報
・同期視聴を行なっているユーザー識別情報
である。図１のコンテンツサーバー１０４は、情報表示装置（２）１０２から受信した視聴履歴データを画像情報と関連つけて蓄積する。この動作により、情報表示装置ユーザーは、視聴履歴情報を残す手間を軽減する事が可能となる。
【００４０】
（１１−３）ユーザーの戻るボタン３０３押下により、インデックス表示状態１１０１に遷移する。
【００４１】
（１１−４）ユーザーの枠表示ボタン３０８押下により、図１１の１１０３で示すズーム領域選択状態に遷移し、ユーザーが画像を拡大して表示可能な領域を示す拡大領域枠表示８０６を表示する。
【００４２】
（１１−５）ユーザーの戻るボタン３０３押下により、シングル表示状態１１０２に遷移する。
【００４３】
（１１−６）ユーザーの移動ボタン３０１押下により、拡大領域枠表示８０６が移動し、ユーザーが拡大して視聴したい画像領域が選択される。
【００４４】
（１１−７）ユーザーの決定ボタン３０２押下により、拡大領域枠表示８０６のある画像領域を拡大して表示する１１０４で示したズーム表示状態に遷移する。本操作が実行されると、図２のＣＰＵ２０３は、拡大表示が行なわれた領域の情報を視聴履歴データとして、一時的にメモリ２０５に記録し、ネットワーク制御部２０２を介して図１のコンテンツサーバー１０４に送信する。ここで送信するデータは、
・拡大表示を行なっている画像の識別情報（ファイル名やインターネット上に存在する画像の場所を指し示すＵＲＬ（Ｕｎｉｆｏｒｍ  Ｒｅｓｏｕｒｃｅ  Ｌｏｃａｔｏｒ））
・前述の(８−７)同様、拡大領域の４点の座標位置（ｘ０、ｙ０）、（ｘ１、ｙ０）、（ｘ１、ｙ１）、（ｘ０、ｙ１）
・同期視聴モードである事を示す情報
・同期視聴を行なっているユーザー識別情報
である。図１のコンテンツサーバー１０４は、情報表示装置（２）から受信した視聴履歴データを画像情報と関連つけて蓄積する。この動作により、情報表示装置ユーザーは、視聴履歴情報を残す手間を軽減する事が可能となる。
【００４５】
（１１−８）ユーザーの戻るボタン３０３押下により、ズーム領域選択状態１１０３に遷移する。
【００４６】
以下、上述の通り、情報表示装置（１）１０１と情報表示装置（２）１０２のユーザーがコミュニケーションを行なっている最中に、情報表示装置（３）１０３のユーザーがコミュニケーションに参加した場合の情報表示装置（３）１０３の動作を主に説明する。情報表示装置（３）１０３のユーザーによるコミュニケーションの開始は、図４で示した動作フローと同様である為、説明は割愛する。以下、情報表示装置（３）１０３による画像視聴、特には画像の視聴履歴表示に関する動作を説明する。
【００４７】
図１２は、図３に示した操作部２０１に備わるボタンを用いて、コンテンツサーバー１０４に存在する画像を視聴する場合の操作と画面表示状態遷移の関係を示す図である。
【００４８】
（１２−１）１２０１で示すインデックス表示状態において、ユーザーの移動ボタン３０１押下により、５０４で示す動画カーソルが移動し、視聴する画像が選択される。
【００４９】
（１２−２）ユーザーの決定ボタン３０２押下により、動画カーソル５０４のある画像が選択され、図２のＣＰＵ２０３は、表示制御部２０６を介して、画像表示部２０７に選択された画像を一枚表示し、図１２の１２０２で示したシングル表示状態に遷移する。
【００５０】
（１２−３）ユーザーの戻るボタン３０３押下により、インデックス表示状態１２０１に遷移する。
【００５１】
（１２−４）ユーザーの情報表示ボタン３０７押下により、図１２の１２０３で示す視聴履歴表示状態に遷移する。本操作が実行されると、図２のＣＰＵ２０３は、前述の（１１−７）の動作時に図１のコンテンツサーバー１０４に送信された拡大表示の視聴履歴データをコンテンツサーバー１０４から取得する。ＣＰＵ２０３は取得した拡大表示の視聴履歴データに基づき、視聴履歴表示方法を決定し、表示制御部２０６に対し、描画指示を行なう。１２０３で示した視聴履歴表示状態においては、１２０４で示すような拡大表示を行なった領域を示す履歴表示枠と共に、同時に拡大表示を行なったユーザー、この例では、同期視聴を行なった情報表示装置（１）１０１、情報表示装置（２）１０２のユーザーを示すアイコン表示１２０５、１２０６を表示する。
【００５２】
図１３は、上記（１２−４）と同様の情報表示ボタン３０７押下により、前述の（８−７）において、情報表示装置（１）１０１のユーザーが単独で視聴した履歴の表示を示す。この例では、情報表示装置（１）１０１ユーザーが、拡大表示を行なった領域を示す履歴表示枠１２０４と共に、情報表示装置（１）１０１のユーザーを示すアイコン表示１２０５を表示する。
【００５３】
以上述べたように、図１２の１２０３で示すような視聴履歴表示を見た情報表示装置（３）１０３のユーザーは、
・共有する複数の画像のうち、どの画像がどのユーザーと同時に視聴されたかの視聴履歴が直感的に一目で分かるようになる。これにより、途中からコミュニケーションに参加したようなユーザーも、複数のユーザーによって同時に視聴されたような注目度の高い画像情報を容易に判別する事ができる為、複数の情報表示ユーザーによる円滑なコミュニケーションを実現する事が可能となる。
【図面の簡単な説明】
【００５４】
【図１】本発明の実施例に係る情報表示装置の接続形態を表わす概念図
【図２】本発明の実施例に係る情報表示装置の構成を表わすブロック図
【図３】本発明の実施例に係る情報表示装置の操作部に備わる操作ボタン群
【図４】本発明の実施例に係る情報表示装置の動作フロー１
【図５】本発明の情報表示装置が表示する画面の一形態であるインデックス表示１
【図６】同期視聴モード時の画面表示遷移を表わす図
【図７】本発明の実施例に係る情報表示装置の動作フロー２
【図８】本発明の実施例に係る情報表示装置の操作と画面表示状態遷移の関係を示す図１
【図９】本発明の実施例に係る画像データと拡大表示の座標位置の関係を示す図１
【図１０】ａは、本発明の情報表示装置が表示する同期視聴ユーザー選択画面１。ｂは、本発明の情報表示装置が表示する同期視聴ユーザー選択画面２。
【図１１】本発明の実施例に係る情報表示装置の操作と画面表示状態遷移の関係を示す図２
【図１２】本発明の実施例に係る情報表示装置の操作と画面表示状態遷移の関係と視聴履歴表示画面の一形態を示す図
【図１３】本発明の実施例に係る視聴履歴表示画面の一形態を示す図
【符号の説明】
【００５５】
１０１  情報表示装置（１）
１０２  情報表示装置（２）
１０３  情報表示装置（３）
１０４  コンテンツサーバー
１０５  インターネット
１０６  デジタルビデオカムコーダ１
１０７  デジタルビデオカムコーダ２
１０８  デジタルビデオカムコーダ３
２０１  操作部
２０２  ネットワーク制御部
２０３  ＣＰＵ
２０４  画像情報デコード部
２０５  メモリ
２０６  表示制御部
２０７  画像表示部
２０８  システムバス
２０９  画像フォーマット変換部
２１０  接続機器制御部
【図１】
2005203917.tif 000003
【図２】
2005203917.tif 000004
【図３】
2005203917.tif 000005
【図４】
2005203917.tif 000006
【図５】
2005203917.tif 000007
【図６】
2005203917.tif 000008
【図７】
2005203917.tif 000009
【図８】
2005203917.tif 000010
【図９】
2005203917.tif 000011
【図１０】
2005203917.tif 000012
【図１１】
2005203917.tif 000013
【図１２】
2005203917.tif 000014
【図１３】
2005203917.tif 000015